(57)【要約】【課題】廃棄物溶融炉のシ−ル性を向上させる。【解決手段】廃棄物投入ホッパ−４と、該廃棄物投入ホッパ−４の底部に設けられた廃棄物圧縮装置５と、圧縮された廃棄物２２を加湿する加湿装置６とから構成され、前記廃棄物圧縮装置５は、廃棄物投入ホッパ−４の底部と前記加湿装置６との間に設けたゲ−ト７と、該ゲ−ト７に向けて廃棄物２２を押し出して圧縮する廃棄物押出機８と、廃棄物投入ホッパ−４の底部に投入された廃棄物２２を投入ホッパ−４の両側からかき寄せるとともに、前記廃棄物押出機８で廃棄物２２を押し出すときに廃棄物２２を上方から押え付ける手段９とを有することを特徴とする溶融炉の廃棄物供給装置。【選択図】　　　　　　図１
2004011954.tif 000002
【特許請求の範囲】
【請求項１】
廃棄物投入ホッパ−と、該廃棄物投入ホッパ−の底部に設けられた廃棄物圧縮装置と、圧縮された廃棄物を加湿する加湿装置とから構成され、前記廃棄物圧縮装置は、廃棄物投入ホッパ−の底部と前記加湿装置との間に設けたゲ−トと、該ゲ−トに向けて廃棄物を押し出して圧縮する廃棄物押出機と、廃棄物投入ホッパ−の底部に投入された廃棄物を投入ホッパ−の両側からかき寄せるとともに、前記廃棄物押出機で廃棄物を押し出すときに廃棄物を上方から押え付ける手段とを有することを特徴とする溶融炉の廃棄物供給装置。
【請求項２】
廃棄物投入ホッパ−と、該廃棄物投入ホッパ−の底部に設けられた廃棄物押出装置と、押し出された廃棄物を圧縮および加湿する圧縮加湿装置とから構成され、前記廃棄物押出装置は廃棄物押出機と、廃棄物投入ホッパ−の底部に投入された廃棄物を投入ホッパ−の両側からかき寄せるとともに、前記廃棄物押出機で廃棄物を押し出すときに廃棄物を上方から押え付ける手段とを有し、前記圧縮加湿装置は、廃棄物を連続的に溶融炉に供給する廃棄物供給路を有しており、該廃棄物供給路は断面積が溶融炉に向かって縮小していることを特徴とする溶融炉の廃棄物供給装置。
【発明の詳細な説明】
【０００１】
【産業上の利用分野】
この発明は、溶融炉の廃棄物供給装置、特に溶融炉のシ−ル性を高めることのできる溶融炉の廃棄物供給装置に関する。
【０００２】
【従来の技術】
廃棄物をガス化溶融処理する廃棄物溶融炉においては、溶融炉内の発生ガスが炉外に噴出して、炉周辺にいる作業者が有毒ガスを吸入したり、高温ガスにより火傷を負わないようにするとともに、炉外の空気を吸入して炉内でガス爆発が発生したり、生成されるガスの品質が低下しないようにするために、溶融炉に供給する廃棄物により、炉のシ−ルをするようにしている。
【０００３】
従来の廃棄物による溶融炉のシ−ル方法は、溶融炉に廃棄物を供給するために設けられている廃棄物投入ホッパ−内の廃棄物を、廃棄物投入ホッパ−の底部に設けた廃棄物押出機により、溶融炉内に押し出すときに、廃棄物を圧縮してシ−ル性を高めるという方法をとっている。
【０００４】
【発明が解決しようとする課題】
しかしながら、上述した従来の廃棄物溶融炉のシ−ル方法は、廃棄物が台所で発生する厨芥のように、水分を含んだものである場合にはシ−ル性に問題はないが、廃プラスチックのように水分を含まない廃棄物の場合には、圧縮しても溶融炉に供給するまでに、元の状態に戻り隣り合う廃棄物片間に隙間ができ、その部分から炉内のガスが噴出したり、逆に炉外の空気を吸い込んだりするので、シ−ル性に問題がある。
【０００５】
この発明は、従来技術の上述のような問題点を解消するためになされたものであり、水分の少ない廃棄物の場合でも、シ−ル性を高く維持することのできる溶融炉の廃棄物供給装置を提供することを目的としている。
【０００６】
【課題を解決するための手段】
この発明に係る第一の溶融炉の廃棄物供給装置は、廃棄物投入ホッパ−と、該廃棄物投入ホッパ−の底部に設けられた廃棄物圧縮装置と、圧縮された廃棄物を加湿する加湿装置とから構成され、前記廃棄物圧縮装置は、廃棄物投入ホッパ−の底部と前記加湿装置との間に設けたゲ−トと、該ゲ−トに向けて廃棄物を押し出して圧縮する廃棄物押出機と、廃棄物投入ホッパ−の底部に投入された廃棄物を投入ホッパ−の両側からかき寄せるとともに、前記廃棄物押出機で廃棄物を押し出すときに廃棄物を上方から押え付ける手段とを有するものである。
【０００７】
また、この発明に係る第二の溶融炉の廃棄物供給装置は、廃棄物投入ホッパ−と、該廃棄物投入ホッパ−の底部に設けられた廃棄物押出装置と、押し出された廃棄物を圧縮および加湿する圧縮加湿装置とから構成され、前記廃棄物押出装置は廃棄物押出機と、廃棄物投入ホッパ−の底部に投入された廃棄物を投入ホッパ−の両側からかき寄せるとともに、前記廃棄物押出機で廃棄物を押し出すときに廃棄物を上方から押え付ける手段とを有し、前記圧縮加湿装置は、廃棄物を連続的に溶融炉に供給する廃棄物供給路を有しており、該廃棄物供給路は断面積が溶融炉に向かって縮小しているものである。
【０００８】
この発明に係る第一および第二の溶融炉の廃棄物供給装置においては、
廃棄物を圧縮および加湿してから、溶融炉に供給するようにしているので、隣り合う廃棄物片間に水分が存在し、発砲スチロ−ルのような元々水分を含まないような廃棄物の場合にも、シ−ル性を高く保持することができる。
【０００９】
【発明の実施の形態】
本発明の実施の形態を図面を参照して説明する。図１は本発明の溶融炉の廃棄物供給装置の第一の実施の形態の説明図であり、（ａ）は廃棄物供給装置の正面図、（ｂ）は（ａ）のＡ−Ａ矢視図である。
【００１０】
この廃棄物供給装置は、上部ホッパ−１と下部ホッパ−２とから構成され、上部ホッパ−１と下部ホッパ−２の間にダンパ−３を有する廃棄物投入ホッパ−４と、下部ホッパ−２の底部に設けた廃棄物圧縮装置５と、圧縮された廃棄物を前記下部ホッパ−２から受け入れて加湿し、溶融炉２１のシ−ル性を高める加湿装置６とから構成されている。
【００１１】
この廃棄物供給装置を詳述すると、前記廃棄物圧縮装置５は、下部ホッパ−２の底部と前記加湿装置６との間に設けたゲ−ト７と、ゲ−ト７に向けて廃棄物を押し出して圧縮する廃棄物押出機８と、下部ホッパ−２の底部に投入された廃棄物２２を下部ホッパ−２の両側からかき寄せるとともに、前記廃棄物押出機８で廃棄物をゲ−ト７に向けて押し出すときに、廃棄物を上方から押え付ける１対の回転板９とから構成されている。
【００１２】
また、加湿装置６は、圧縮された廃棄物の塊２２ａを受け入れ、溶融炉２１に供給する廃棄物供給通路１０と、廃棄物供給通路１０の上方に設けた加湿用ノズル１１とから構成される。
【００１３】
次に、この廃棄物供給装置により、廃棄物２２を圧縮、加湿して溶融炉２１に供給する工程を説明する。
（１）コンベア２３により上部ホッパ−１に投入された廃棄物２２を、ダンパ−３を開いて下部ホッパ−２に投入する。このとき、ゲ−ト７は閉ざされ、廃棄物押出機８の押出ヘッド８ａは、押出ヘッド格納室１２に格納されている状態である。
（２）下部ホッパ−２の底部に堆積した廃棄物２２を、１対の回転板９で下部ホッパ−２の両側からかき寄せるとともに、上方から押え付ける。このとき、回転板９の押え付け面は、図１（ｂ）の一点鎖線で示した位置にある。
（３）廃棄物２２を回転板９で押え付けた状態で、廃棄物押出機８の押出ヘッド８ａをゲ−ト７に向かって押し出し、廃棄物２２を圧縮する。
（４）廃棄物２２の圧縮が完了した後、押出ヘッド８ａを若干後退させてゲ−ト７を開き、押出ヘッド８ａを前進させて、圧縮後の廃棄物２２の塊２２ａを廃棄物供給通路１０に送り込む。
（５）送り込み終了後、押出ヘッド８ａを押出ヘッド格納室１２まで後退させ、ゲ−ト７を閉じる。
（６）以上の工程を繰り返しながら、廃棄物２２の塊２２ａを廃棄物供給通路１０に次々に送り込む。
（７）廃棄物供給通路１０に送り込まれた廃棄物２２の塊２２ａを、加湿用ノズル１１により加湿し溶融炉２１に供給する。
【００１４】
このように、本発明の廃棄物供給装置においては、廃棄物供給通路１０に送り込まれた廃棄物２２の塊２２ａを加湿しているので、廃棄物２２の塊２２ａの内部や廃棄物供給通路１０との隙間に空隙がないため、溶融炉２１のシ−ル性を良好な状態に保持することができる。
【００１５】
図２は、本発明の廃棄物供給装置において、加湿装置６による廃棄物２２の加湿を、廃棄物の種類や操業状況に応じて制御する場合の制御系統図である。ＣＯガス検知器１３により、廃棄物投入ホッパ−４内のＣＯガス濃度を検知し、その信号を加湿制御装置１４に送る。そして、ＣＯガス濃度があらかじめ設定してある濃度レベルを超えた場合には、加湿制御装置１４から加湿装置６に指令を発して、加湿を行う。そして、ＣＯガス濃度が設定してある濃度レベルを下回ったときには、加湿を停止する。
【００１６】
廃棄物２２の加湿方法は、加湿用ノズル１１から水や蒸気を噴霧するという方法で行えばよい。
【００１７】
図３は、本発明の溶融炉の廃棄物供給装置の第二の実施の形態の説明図であり、（ａ）は廃棄物供給装置の正面図、（ｂ）は（ａ）のＢ−Ｂ矢視図である。
【００１８】
この溶融炉の廃棄物供給装置は、上部ホッパ−３１と下部ホッパ−３２とから構成され、上部ホッパ−３１と下部ホッパ−３２の間にダンパ−３３を有する廃棄物投入ホッパ−３４と、下部ホッパ−３２の底部に設けた廃棄物押出装置３５と、廃棄物押出装置３５により押し出された廃棄物２２を前記下部ホッパ−３２から受け入れて圧縮および加湿し、溶融炉２１のシ−ル性を高める廃棄物圧縮加湿装置３６とから構成されている。
【００１９】
この廃棄物供給装置を詳述すると、前記廃棄物押出装置３５は、廃棄物を廃棄物圧縮加湿装置３６に押し出す廃棄物押出機３７と、下部ホッパ−３２の底部に投入された廃棄物２２を下部ホッパ−３２の両側からかき寄せるとともに、前記廃棄物押出機３５で廃棄物２２を廃棄物圧縮加湿装置３６に向けて押し出すときに、廃棄物２２を上方から押え付ける１対の回転板３８とから構成されている。
【００２０】
また、廃棄物圧縮加湿装置３６は、廃棄物２２の塊２２ａを受け入れ、溶融炉２１に供給する廃棄物供給通路３９と、廃棄物供給通路３９の上方に設けた加湿用ノズル４０とから構成される。そして、廃棄物供給通路３９の断面積は、廃棄物供給通路３９の入口３９ａから出口３９ｂに向かって漸減しており、廃棄物供給通路３９に入った廃棄物２２の塊２２ａは、溶融炉２１に近づくほど圧縮されるようになっている。
【００２１】
この廃棄物供給装置により、廃棄物２２を圧縮、加湿して溶融炉２１に供給する工程も、第一の実施の形態の廃棄物供給装置の場合と、廃棄物２２をホッパ−内で圧縮するか、または圧縮加湿装置で圧縮するかの違いだけであるので、詳細説明は省略する。
【００２２】
また、加湿の制御も第一の実施の形態の廃棄物供給装置と同様に行うことができるので、溶融炉２１のシ−ル性を良好な状態に保持することができる。
【００２３】
【発明の効果】
本発明により、廃棄物溶融炉のシ−ル性を、常に良好に保持することができる。
【図面の簡単な説明】
【図１】本発明の溶融炉の廃棄物供給装置の第一の実施の形態の説明図であり、（ａ）は廃棄物供給装置の正面図、（ｂ）は（ａ）のＡ−Ａ矢視図である。
【図２】本発明の溶融炉の廃棄物供給装置で加湿の制御を行うときの加湿制御系統図である。
【図３】本発明の溶融炉の廃棄物供給装置の第二の実施の形態の説明図であり、（ａ）は廃棄物供給装置の正面図、（ｂ）は（ａ）のＢ−Ｂ矢視図である。
【符号の説明】
１　上部ホッパ−
２　下部ホッパ−
３　ダンパ−
４　廃棄物投入ホッパ−
５　廃棄物圧縮装置
６　加湿装置
７　ゲ−ト
８　廃棄物押出機
８ａ　押出ヘッド
９　回転板
１０　廃棄物供給通路
１１　加湿用ノズル
１２　押出ヘッド格納室
１３　ＣＯガス検知器
１４　加湿制御装置
２１　溶融炉
２２　廃棄物
２２ａ　廃棄物の塊
３１　上部ホッパ−
３２　下部ホッパ−
３３　ダンパ−
３４　廃棄物投入ホッパ−
３５　廃棄物押出装置
３６　廃棄物圧縮加湿装置
３７　廃棄物押出機
３８　回転板
３９　廃棄物供給通路
４０　加湿用ノズル
【図１】
2004011954.tif 000003
【図２】
2004011954.tif 000004
【図３】
2004011954.tif 000005